(57)【特許請求の範囲】
【請求項１】
座席及び荷台を前後に配しており、前記荷台は、水平の床板と、前記床板の前後端縁のうち前記座席側の端縁に立設される縦板とを有しており、前記座席の背もたれは、通常の立状態からその背面が前記床板と同じ高さで水平になる倒状態へと回動可能である運搬車において、
前記縦板は、立状態に固定された固定部分と、閉位置と開位置との間で回動可能な回動部分とを有し、
前記縦板の回動部分は、前記閉位置にあるときに立状態であって、立状態の前記座席の背もたれに対峙するものであり、
前記座席の背もたれが倒状態であるときに、前記縦板の回動部分を前記開位置に回動すると、前記縦板に開通空間が生じ、前記開通空間を介して、前記倒状態の座席の背もたれの上方空間と前記荷台の床板の上方空間とが連通し、
前記縦板に沿って、運転席用の座席の背もたれを含む複数の座席の背もたれが配置されており、
前記縦板の回動部分が前記閉位置にあるときに対峙する前記座席の背もたれは、運転席用以外の座席の背もたれであり、
前記運転席用の座席の背もたれは、前記縦板の固定部分に対峙しており、
前記縦板の回動部分は、前記閉位置と前記開位置との間で左右に回動可能であり、
前記縦板は、前記開位置において、前記運転席用の座席の背もたれと前記運転席用以外の座席の背もたれとを仕切るように立状態で延伸している
ことを特徴とする運搬車。
【請求項２】
前記荷台の床板の前後端縁のうち、前記縦板の立設される端縁に対して反対側の縦縁には、第二の縦板が立設されており、前記第二の縦板は、回動可能であり、回動して前記床板と同じ高さで水平となった状態でロック可能である
ことを特徴とする請求項１に記載の運搬車。
【発明の詳細な説明】
【技術分野】
【０００１】
本発明は、運搬車、特にユーティリティビークルといわれるタイプの運搬車に関する。
【背景技術】
【０００２】
近年、ユーティリティビークルといわれるタイプの運搬車が普及しつつある。この運搬車は、前部に運転席を設け、後部に荷物積載用の荷台を搭載している。
【０００３】
このような荷台を有する運搬車において、荷台からはみ出るような長さを有する荷物（長尺物）を積載しなければならない場合がある。このような場合、従来は、荷台からはみ出した状態の荷物を何らかの手段で荷台に固定するか、荷台に別途装着した専用のラックに荷物を取り付けるという方法がとられていた。しかし、前者の方法での運搬は、はみ出した荷物が落下したり道路横のものとぶつかったりするのを回避すべく、慎重に運搬することが求められ、結果的には運搬に時間がかかる。一方、ラック装着の場合、ラックに積載した荷物の位置が相対的に高くなり、その分、荷物積載時の車両の重心が高くなるので、走行が不安定になってしまう。
【０００４】
なお、乗用車の車内に長尺物を積み込む場合、特許文献１にて示すように、座席の背もたれを前に倒し、倒した背もたれの上面を荷物の積載面として利用するという方法が一般的に用いられており、これにより、車外にはみ出すことなく長尺物を運搬できるものとしている。しかし、これは、乗用車の前後の座席の間には仕切がないので、前後両方の座席の背もたれを倒してこれらを荷台の床板のように利用してできることであって、上記運搬車の場合、荷台の前縦板が座席との仕切になり、荷台に積載した長尺物を座席側にはみ出させるということが、この仕切によってできなかった。
【先行技術文献】
【特許文献】
【０００５】
【特許文献１】特開平１０−２３６２３４号公報
【発明の概要】
【発明が解決しようとする課題】
【０００６】
本発明の課題は、荷台の規格からはみ出してしまうような荷物を、車外にはみ出すことなく、あるいははみ出しをできるだけ小さく抑えて積み込むことができるように改良した運搬車を提供することである。
【課題を解決するための手段】
【０００７】
本発明に係る運搬車は、座席及び荷台を前後に配しており、前記荷台は、水平の床板と、前記床板の前後端縁のうち前記座席側の端縁に立設される縦板とを有しており、前記座席の背もたれは、通常の立状態からその背面が前記床板と同じ高さで水平になる倒状態へと回動可能である運搬車において、前記縦板は、立状態に固定された固定部分と、閉位置と開位置との間で回動可能な回動部分とを有し、前記縦板の回動部分は、前記閉位置にあるときに立状態であって、立状態の前記座席の背もたれに対峙するものであり、前記座席の背もたれが倒状態であるときに、前記縦板の回動部分を前記開位置に回動すると、前記縦板に開通空間が生じ、前記開通空間を介して、前記倒状態の座席の背もたれの上方空間と前記荷台の床板の上方空間とが連通し、前記縦板に沿って、運転席用の座席の背もたれを含む複数の座席の背もたれが配置されており、前記縦板の回動部分が前記閉位置にあるときに対峙する前記座席の背もたれは、運転席用以外の座席の背もたれであり、前記運転席用の座席の背もたれは、前記縦板の固定部分に対峙しており、前記縦板の回動部分は、前記閉位置と前記開位置との間で左右に回動可能であり、前記縦板は、前記開位置において、前記運転席用の座席の背もたれと前記運転席用以外の座席の背もたれとを仕切るように立状態で延伸しているものである。
【０００８】
また、前記荷台の床板の前後端縁のうち、前記縦板の立設される端縁に対して反対側の縦縁には、第二の縦板が立設されており、前記第二の縦板は、回動可能であり、回動して前記床板と同じ高さで水平となった状態でロック可能であるものである。
【発明の効果】
【０００９】
本発明によれば、背もたれが倒状態であるときに回動部分を閉位置に回動するだけで、開通空間が生じ、該開通空間を介して、倒状態の背もたれの上方空間と荷台における床板の上方空間とが連通するので、荷物が、荷台の前後幅よりも長い長尺物であっても、該開通空間を介して、長尺物の一端側部分を荷台の床板上に、長尺物の他端側部分を倒状態の背もたれの上に載置した状態とすることができる。このように、倒状態の背もたれの上方空間がこのような荷物の収容空間として利用される分、荷台の、座席に対して反対側からの荷物の突出部分を低減、あるいはなくすことができ、当該荷物を積載しての走行安定性及び積載した荷物の安全性を向上することができる。
【００１０】
また、縦板の回動部分が閉位置にあるときに対峙する背もたれを、運転席用以外の背もたれとし、該運転席用の背もたれを、該縦板の固定部分に対峙させることで、運転席用以外の背もたれを倒状態にして、前記開通空間を介して荷物（長尺物）を荷台から倒状態の背もたれ上へと突出させた状態にしても、運転席は、その背もたれを通常の立状態のまま維持され、該運転席用以外の背もたれ上へと突出する荷物と干渉することがないので、このような荷物の積載状態のまま、運転手が運転席に座って運搬車を運転することができる。
【００１１】
また、回動部分は、閉位置と開位置との間で左右回動可能としても上述の開通空間を生じさせる効果を奏することができ、左右回動か上下回動か、運搬車の仕様や規格等に応じて選択してもよく、運搬車の設計変更の範囲を拡大する。特に、左右回動可能として開位置にて運転席用背もたれと運転席用以外の背もたれとを仕切るように前後に延伸する状態となるよう構成すれば、該開位置の回動部分が、荷物の、荷台から開通空間を介して倒状態の運転席用以外の背もたれ上へと突出する部分に対し、座席の運転席部分及び運転席用背もたれを隔離しているので、荷物の当該突出部分に対しての運転席に座る運転手の保護を強化するものである。
【００１２】
また、倒状態の座席の背もたれの上に載置した縦板の回動部分を利用してもなお車外にはみ出るような荷物を運搬する場合、はみ出し部分が運搬中に不安定になるが、第二の縦板を回動してロックすることで、座席に対し反対側への荷物のはみ出し部分を該第二の縦板で支持することができ、安定した状態で荷物を運搬することができる。
【図面の簡単な説明】
【００１３】
【図１】運搬車の側面略図である。
【図２】図１におけるＩＩ−ＩＩ線矢視図である。
【図３】図１の運搬車の平面略図であって、荷台に規格内の荷物を載置したときの図である。
【図４】図１の運搬車の平面略図であって、荷台に規格外の荷物を左右に長く載置したときの図である。
【図５】荷台に第一実施例の前縦板を適用した場合の前記運搬車の側面略図であって、座席の背もたれを倒状態とし、前縦板の回動部分を開位置にしたときの図である。
【図６】図５におけるＶＩ−ＶＩ線矢視図である。
【図７】図５の運搬車の平面略図であって、荷台に規格外の荷物を前後に長く載置したときの図である。
【図８】荷台に第二実施例の前縦板を適用した場合の前記運搬車の側面略図であって、座席の背もたれを倒状態とし、前縦板の回動部分を開位置にしたときの図である。
【図９】図８におけるＩＸ−ＩＸ線矢視図である。
【図１０】図８の運搬車の平面略図であって、荷台に規格外の荷物を前後に長く載置したときの図である。
【発明を実施するための形態】
【００１４】
図１乃至図３より運搬車（ユーティリティビークル）１について説明する。運搬車１は、車体前部にキャノピー２を立設し、該キャノピー２にて覆われてなる乗員室３を構成しており、該乗員室３より後方の車体後部に、荷台８を搭載している。
【００１５】
図２及び図３に示すように、乗員室３内において、２〜３人掛けの座席５が設けられている。本実施例では、座席５の最も左側の部分が運転席となっており、その前方にハンドル４が配置されている。座席５の該運転席部分の後端部には運転席用の背もたれ７が立設されている。座席５の、該運転席部分の右側の部分は、１〜２人掛けの助手席とされており、該助手席部分の後端部に、助手席用（運転席用以外）の背もたれ６が立設されている。
【００１６】
図１乃至図３では、立状態Ａの背もたれ６・７を示している。規定の立状態Ａにおいて、背もたれ６・７は左右に一列状に配列されている。図１に示すように、座席５は前方にスライド可能であり、当該スライドにより、立状態の背もたれ６及び運転席用の背もたれ７を、前方スライド位置Ａ１に移動させることができる。
【００１７】
また、背もたれ６は、立状態Ａにおいて、その下端部に左右水平の回動支点軸を有し、該回動支点軸を中心として回動可能となっている。これにより、図１に示すように、立状態Ａからリクライニグ状態Ａ２へと後方に回動することもできる。運転席用の背もたれ７も同様に回動可能とし、リクライニング状態となるように後方回動可能としてもよい。
【００１８】
荷台８は、平面視矩形の水平な床板９を有しており、床板９の前縁に前縦板１０を、床板９の後縁に後縦板１１を、床板９の左右両縁に左右縦板１２を、それぞれ立設している。なお、これら床板９及び縦板１０・１１・１２よりなる荷台８全体は、荷物の上げ下ろしに便利なように、図１に示すような傾斜状態Ｇとなるように回動可能となっている。
【００１９】
本実施例に係る運搬車１は、立状態（鉛直板状の状態）の前縦板１０・後縦板１１・左右両縦板１２にて囲まれてなる床板９の面積の規格を、図３に示すように、荷物運搬に用いられるパレット２０に合わせたものとしている。以後、パレット２０のように、荷台８の床板９の面積内に納まって、全縦板１０・１１・１２を立状態としたままで荷台８に積載できるサイズの荷物を規格内の荷物とし、床板９の面積内では納まらず、後述の如く縦板１０（の後記回動部分１０ｃまたは１０ｄ）・１１・１２のいずれかを立状態から回動することで運搬車１に積載できるようなサイズの荷物を規格外の荷物とする。
【００２０】
荷台８の後縦板１１及び左右各縦板１２は、それぞれの下端に水平の回動支点軸（ヒンジ）を有し、各回動支点軸を中心に、床板９に対して上下回動可能となっている。これらのうち、左右各縦板１２は、図２及び図４に示すように、立状態から、ヒンジを介して、鉛直下方に垂下した状態（垂下状態）Ｆへと回動することができる。規格外の荷物を積載する際に、左右縦板１２のいずれか一方、または両方を垂下状態Ｆとすることで、床板９に載置した荷物を、床板９の左右側縁より延出させ、このような規格外の荷物を運搬車１に積載することができる。図４においては、左右両縦板１２を垂下状態Ｆにして長尺の板材２１を荷台８に積載したときの運搬車１を示しており、規格外の荷物としての板材２１を、床板９に載置し、床板９の左右両縁から左右外側に延出した状態で積載している。
【００２１】
前縦板１０は、通常の状態において、図１乃至図３に示すように、その直前に配置された立状態Ａの背もたれ６・７に対峙するよう左右方向に延設されている。前縦板１０は、通常状態において三つの鉛直板状部分を左右に連接して構成される。これら三つの鉛直板状部分のうち、前縦板１０の左右一端側に配置される部分を固定部分１０ａとしており、左右他端側に配置される部分を固定部分１０ｂとしている。固定部分１０ａ・１０ｂは、床板９に対し固定されて常に立状態（鉛直板状の状態）で左右方向に延設されている。これらの固定部分１０ａ・１０ｂのうち、固定部分１０ａが、運転席用の背もたれ７に対峙している。
【００２２】
そして、前縦板１０における第一・第二固定部分１０ａ・１０ｂ間に配置された鉛直板状部分を、回動部分１０ｃまたは回動部分１０ｄのいずれかとしている。回動部分１０ｃは、図１乃至図４に示す如き閉位置Ｃと図５乃至図７に示す如き開位置Ｄとの間で、左右水平方向の回動支点軸を中心に上下に回動可能なものである。一方、回動部分１０ｄは、図１乃至図４に示す如き閉位置Ｃと図８乃至図１０に示す如き開位置Ｄａとの間で、鉛直の回動支点軸を中心に左右に回動可能なものである。回動部分１０ｃを適用した場合の前縦板１０を第一実施例とし、回動部分１０ｄを適用した場合の前縦板１０を第二実施例として、これら第一・第二実施例について、以下、詳述する。
【００２３】
まず、第一実施例・第二実施例のいずれを適用する場合においても、図１乃至図４に示すように、前縦板１０における回動部分１０ｃまたは１０ｄは、通常の状態、すなわち、閉位置Ｃにあるときに、固定部分１０ａ・１０ｂ間にて、左右方向に延伸された立状態（鉛直板状）となっていて、荷台８における床板９の上方空間と、乗員室３内の空間との間を仕切っている。助手席用（運転席用以外）の背もたれ６が立状態Ａであるときに、この背もたれ６に対し、閉位置Ｃの回動部分１０ｃまたは１０ｄが対峙している状態である。
【００２４】
また、荷台８の前縦板１０を第一実施例とした場合も第二実施例とした場合も、回動部分１０ｃまたは１０ｃを開位置ＤまたはＤａに回動した状態において共通するのは、開位置ＤまたはＤａに回動部分１０ｃまたは１０ｄを回動することにより、固定部分１０ａ・１０ｂ間に、開通空間Ｓが生じ、この開通空間Ｓを介して、荷台８における床板９の上方空間と、乗員室３内の空間（背もたれ６を後述の如く倒状態Ｂにしたときは、倒状態Ｂにおける背もたれ６の上方空間）とが連通する点である。これにより、荷台８の床板９上に載置された規格外の荷物（例えば、図７及び図１０に示す如き長尺の柱材２２）を、該開通空間Ｓを介して、乗員室３内（倒状態Ｂの背もたれ６上）へと突出させることが可能となる。
【００２５】
運搬車１の荷台８に、第一実施例に係る前縦板１０を適用した場合において、回動部分１０ｃを開位置Ｄに回動した状態について、図５乃至図７より説明する。助手席用の背もたれ６は、前述の立状態Ａから、前下方に回動して、座席５の助手席部分に接する倒状態Ｂとすることができる。この倒状態Ｂにおいて、背もたれ６の背面（立状態Ａにおいて後面となる面）が上向き水平となり、荷台８の床板９の水平上面と同じ高さとなる。なお、運転席用の背もたれ７も同様に前下方に回動して座席５の運転席部分に接する倒状態にすることができるものとしてもよいが、ここでは背もたれ６の倒状態Ｂのみに言及する。
【００２６】
背もたれ６が立状態Ａにあるときその下端に配置される前記の左右水平の回動支点軸を覆う背面側の部分に、切欠面６ａが形成されている。この切欠面６ａは、図５乃至図７に示すように、背もたれ６が倒状態Ｂにあるときは、水平となって、前述の、荷台８の床板９の水平上面と同じ高さになる背もたれ６の背面の後側に、一段低い段差として現れる。
【００２７】
このように、背もたれ６が倒状態Ｂにあるときに、荷台８の前縦板１０の回動部分１０ｂを、その下端に配した（図示せぬ）左右水平の回動支点軸（ヒンジ）を中心に前下方に回動すると、その前端部（立状態では上端部となる部分）が、背もたれ６の切欠面６ａ上に載置され、図５乃至図７に示す如き水平の倒状態となる。この倒状態となる位置を、回動部分１０ｂの開位置Ｄとしている。閉位置Ｃにおける回動部分１０ｃでは鉛直の後面であった面が、開位置Ｄの回動部分１０ｃでは水平の上面となり、この水平上面が、床板９及び背もたれ９の背面と同じ高さで、該床板９と該背もたれ９の背面との間に架け渡される。すなわち、床板９の前縁から、開位置Ｄの前縦板１０の回動部分１０ｃを介して、背もたれ６の背面まで、床板９の上面からの前方延長面が均等な高さで水平に形成されることとなる。
【００２８】
図７は、第一実施例に係る前縦板１０を有する荷台８を備えた運搬車１に、規格外の荷物である長尺の柱材２２を積載している様子を示している。背もたれ６を倒状態Ｂとし、前縦板１０の回動部分１０ｃを開位置Ｄに回動することで、前縦板８に開通空間Ｓが生じ、荷台８の床板９に載置された柱材２２の前部分を、荷台８から、開通空間Ｓを介して、乗員室３内へと前方に延出して、開位置Ｄにあって倒状態の前縦板１０の回動部分１０ｃ及び倒状態Ｂの背もたれ６の背面に載置することができる。
【００２９】
運搬車１の荷台８に、第二実施例に係る前縦板１０を適用した場合において、回動部分１０ｄを開位置Ｄａに回動した状態について、図８乃至図１０より説明する。背もたれ６が倒状態Ｂにあるときに、荷台８の前縦板１０の回動部分１０ｄを閉位置Ｃから開位置Ｄａへと回動する。この回動により、前縦板１０の固定部分１０ａ・１０ｂ間に、前述の開通空間Ｓが生じる。この回動部分１０ｄの回動は、その左右一側（本実施例では、固定部分１０ａ側）の端部に配した（図示せぬ）鉛直の回動支点軸（ヒンジ）を中心になされる。開位置Ｄａに至った回動部分１０ｄは、立状態（鉛直板状）のまま、前後方向に延伸された状態となって、倒状態Ｂの背もたれ６の背面（倒状態では上面）上に載置される。前述の如く、本実施例では、回動部分１０ｄの回動支点軸は、固定部分１０ａ側の端部に設けられているので、開位置Ｄａの回動部分１０ｄは、固定部分１０ａの前方に配置されている運転席用背もたれ７と、開通空間Ｓの前方に配置されている倒状態Ｂの助手席用背もたれ６とを仕切るように、荷台８より前方に延設されている。
【００３０】
図１０は、第二実施例に係る前縦板１０を有する荷台８を備えた運搬車１に、規格外の荷物である長尺の柱材２２を積載している様子を示している。背もたれ６を倒状態Ｂとし、前縦板１０の回動部分１０ｄを開位置Ｄａに回動することで、前縦板８に開通空間Ｓが生じ、荷台８の床板９に載置された柱材２２の前部分を、荷台８から、開通空間Ｓを介して、乗員室３内へと前方に延出して、倒状態Ｂの背もたれ６の背面に載置することができる。ここで、開位置Ｄａの回動部分１０ｄが、運転席用背もたれ７と倒状態Ｂの助手席用背もたれ６との間を仕切るように前後方向に延設されているので、座席５の運転席部分に座る運転手に対し、該回動部分１０ｄが、倒状態Ｂの背もたれ６に載置された柱材２２を隔離しており、例えば、万一、柱材２２が搬送中に荷崩れしてしまった場合も、回動部分１０ｄが防護壁として機能し、荷崩れした柱材２２から座席５の運転席部分に座る運転手を防護するものである。
【００３１】
なお、荷台８の前縦板１０が第一実施例、第二実施例のいずれであるかにかかわらず、柱材２２の前部分がこのように倒状態Ｂの背もたれ６に載置された状態でもなお、柱材２２の後部分が荷台８の床板９の後縁より後方にはみ出してしまうような場合に、後縦板１１を後方回動して、床板９に載置された長尺物２２の後部を荷台８から後方に延出させることができるものとなっている。後方回動した後縦板１１は、図５、図７、図８、図１０に示すように、その上面（縦状態では鉛直前面）が床板９の水平上面と同じ高さで上向き水平となった倒状態Ｅでロックされ、倒状態Ｅおける水平の後縦板１１に、柱材２２の後部分を載置できるものとなっている。これにより、長尺の柱材２２の荷台８から後方へのはみ出し部分もぐらつくことなく倒状態Ｅの後縦板１１で支持することができる。なお、倒状態Ｅでの後縦板１１のロックは、後縦板１１のヒンジ回りの回動限界として設定することによるものとしてもよいし、あるいは、鍵等のロック手段（図示せず）を設けて、このようなロック手段にてロックするものとしてもよい。
【００３２】
以上のように、運搬車１は、左右各縦板１２を垂下状態Ｆに回動することで、荷物を荷台８から左右各外方に延出した状態で積載することができ、また、背もたれ６を倒状態Ｂにし、かつ、前縦板１０の回動部分１０ｃまたは１０ｄを開位置ＤまたはＤａに回動することで、荷物を荷台８からその前方の乗員室３内（倒状態Ｂの背もたれ６の上方空間）へと延出した状態で積載でき、さらに、後縦板１１を倒状態Ｄに回動することで、荷物を荷台８から後方に延出した状態で積載することができる。
【００３３】
どの縦板を回動して、規格外の荷物をどの向きに延出した状態で荷台８に積載するかということについては、荷物のサイズや形状に応じて適宜選択すればよい。例えば、図７及び図１０に示す柱材２２は、床板９の規格からのはみ出し長がかなり大きいため、左右縦板１２を垂下状態Ｆにして左右外側に延出した状態で積載すると、その延出度が大きくなりすぎるという難点がある一方で、複数の柱材２２をまとめても、その全体の幅が、回動部分１０ｃまたは１０ｄを開位置ＤまたはＤａに回動することで前縦板１０に生じる開通空間Ｓの左右幅内に収まるので、図５乃至図７または図８乃至図１０に示すように、背もたれ６を倒状態Ｂにし、かつ、回動部分１０ｃまたは１０ｄを開位置ＤまたはＤａに回動して、柱材２２を乗員室３内に延出した状態で積載することを選択したものである。さらに、柱材２２の床板９の規格からのはみ出し度が乗員室３の前後幅だけでは収まらないため、後縦板１１を倒状態Ｅにして、柱材２２を荷台８の後方にも延出させているが、はみ出し長の大部分が乗員室３内（すなわち倒状態Ｂの背もたれ６上）に収まるため、荷台８の後方への延出度を小さく抑えることができる。
【００３４】
これに対し、図４に示す板材２１の場合、幅が、前記開通空間Ｓの左右幅では収まらないため、背もたれ６を倒状態Ｂにし、前縦板１０の回動部分１０ｃまたは１０ｄを開位置ＤまたはＤａにして乗員室３内へとはみ出した状態で積載することはできない。この場合、後縦板１１を倒状態Ｅにして後方に延出した状態で積載することも考えられるが、荷台８前方へのはみ出しが全くない分、この後方延出度がかなり大きくなってしまう。一方、左右縦板１２については、その両方を同時に垂下状態Ｆにして、板材２３を床板９の左右両縁のいずれからも左右外方に延出した状態で積載することで、床板９の左右各縁からの板材２１のはみ出し度自体は小さく抑えることができる。このような事情を考慮して、板材２１については、左右両縦板１２を垂下状態にして荷台８に積載することを選択したものである。
【産業上の利用可能性】
【００３５】
本発明に係る運搬車は、いわゆるユーティリティビークルをその典型例とするが、どのようなタイプの運搬車にも適用が可能である。
【符号の説明】
【００３６】
１      運搬車（ユーティリティビークル）
５      座席
６      背もたれ
７      運転席用背もたれ
８      荷台
９      床板
１０    前縦板
１０ａ  固定部分
１０ｂ  固定部分
１０ｃ  （上下回動可能な）回動部分
１０ｄ  （左右回動可能な）回動部分
１１    後縦板
１２    左右縦板
２０    パレット（規格内の荷物）
２１    板材（規格外の荷物）
２２    柱材（規格外の荷物）
Ａ      立状態
Ｂ      倒状態
Ｃ      閉位置
Ｄ      （回動部分１０ｃの）開位置
Ｄａ    （回動部分１０ｄの）開位置
Ｅ      倒状態
Ｆ      垂下状態
Ｓ      開通空間
【図１】
0006358655.tif 000002
【図２】
0006358655.tif 000003
【図３】
0006358655.tif 000004
【図４】
0006358655.tif 000005
【図５】
0006358655.tif 000006
【図６】
0006358655.tif 000007
【図７】
0006358655.tif 000008
【図８】
0006358655.tif 000009
【図９】
0006358655.tif 000010
【図１０】
0006358655.tif 000011